(57)【要約】【課題】押釦部の視認性を向上させることができる押釦装置を提供すること。【解決手段】光源となる第１発光素子２３２と、押動操作可能に配設され、第１発光素子２３２で発光された光を透過するためのレンズ部２７１ａを有する押釦部２７とを備えた押釦装置２０において、第１発光素子２３２の光射出側に配設され、かつ押釦部２７のレンズ部２７１ａ全体にわたって第１発光素子２３２からの光を反射する第１反射部２４１（リフレクタ２４）を備えたものである。この第１反射部２４１は、押釦部２７のレンズ部２７１ａ全体にわたって光を散乱させた態様で反射する光散乱反射面２４１ｂを備えていることが好ましい。【選択図】        図２
2006012489.tif 000002
【特許請求の範囲】
【請求項１】
光源となる発光素子と、
押動操作可能に配設され、前記発光素子で発光された光を透過するための光透過域を有する押釦部と
を備えた押釦装置において、
前記発光素子の光射出側に配設され、かつ前記押釦部の光透過域全体にわたって前記発光素子からの光を反射する光反射手段を備えたことを特徴とする押釦装置。
【請求項２】
前記光反射手段は、前記押釦部の光透過域全体にわたって光を散乱させた態様で反射する光散乱反射面を備えたことを特徴とする請求項１に記載の押釦装置。
【請求項３】
前記光散乱反射面は、前記発光素子からの光が通過するための通過孔を中心にして放射状に拡がる態様の溝部が形成してなることを特徴とする請求項２に記載の押釦装置。
【請求項４】
前記光散乱反射面は、前記発光素子からの光が通過するための通過孔を中心にして放射状に拡がる態様の長尺状の凸部が形成してなることを特徴とする請求項２に記載の押釦装置。
【請求項５】
前記光反射手段は、前記通過孔を通過した光を、前記光散乱反射面に向けて発散させた態様で射出する導光部材を備えたことを特徴とする請求項３または請求項４に記載の押釦装置。
【請求項６】
前記光散乱反射面は、光反射率の高い高反射率部材をコーティングして形成したものであることを特徴とする請求項２〜５のいずれか一つに記載の押釦装置。
【請求項７】
前記光散乱反射面は、アルミニウムを蒸着して形成したものであることを特徴とする請求項６に記載の押釦装置。
【請求項８】
前記押釦部とは別個に所定の表示を行うための表示部を設けたことを特徴とする請求項１〜７のいずれか一つに記載の押釦装置。
【発明の詳細な説明】
【技術分野】
【０００１】
本発明は、押釦装置に関し、より詳細には、例えば自動販売機等において商品の選択に用いられる押釦装置に関する。
【背景技術】
【０００２】
一般に、自動販売機の前面パネルには、商品見本陳列棚が上下方向に沿って複数段にわたって設けられており、それぞれの商品見本棚に対応して押釦装置が設けられている。
【０００３】
押釦装置としては、発光素子と押釦部とを備えたものが知られている。発光素子は、例えばチップ型発光ダイオード（ＬＥＤ；light-emitting  diode）等であり、光源として用いられるものである。押釦部は、光透過性を有するレンズ部を主部分として構成されるものであり、自動販売機の前面パネルに表出する態様で各商品見本に対応して配設されている。この押釦部は、前面に上記発光素子やスイッチが実装された回路基板との間にパッキン等を介した状態で、該押釦部が前方側から押圧されて押動操作した場合に該回路基板のスイッチを入力する態様で設けられている。
【０００４】
そのような押釦装置では、自動販売機内に予め決められた閾値を超える金銭が投入された場合に、発光素子を発光させる。その後、利用者により選択した商品見本に対応した押釦部が押圧されることにより、該押釦部が押動操作して回路基板のスイッチが入力される。その結果、自動販売機では、選択された商品見本に対応した商品が払い出され、該商品が販売されたことになる（例えば、特許文献１）。
【０００５】
【特許文献１】実公平７−１８１１２号公報
【発明の開示】
【発明が解決しようとする課題】
【０００６】
ところが、上記特許文献１等に提案されている押釦装置では、発光素子として用いられている発光ダイオードから射出した光の直進性が強いので、押釦部の主部分であるレンズ部を透過する光も直進性の強いものとなる。そのため、押釦部の視認性を向上させることが求められている。また、上記特許文献１に提案されている押釦装置では、発光ダイオードから射出した光の通過域の周辺に反射鏡体が設けられているが、かかる反射鏡体は、発光ダイオードからの光を押釦部のレンズ部全体にわたって反射させるものではなく、押釦部の視認性の向上を図るには至っていなかった。
【０００７】
本発明は、上記実情に鑑みて、押釦部の視認性を向上させることができる押釦装置を提供することを目的とする。
【課題を解決するための手段】
【０００８】
上記目的を達成するために、本発明の請求項１に係る押釦装置は、光源となる発光素子と、押動操作可能に配設され、前記発光素子で発光された光を透過するための光透過域を有する押釦部とを備えた押釦装置において、前記発光素子の光射出側に配設され、かつ前記押釦部の光透過域全体にわたって前記発光素子からの光を反射する光反射手段を備えたことを特徴とする。
【０００９】
また、本発明の請求項２に係る押釦装置は、上記請求項１において、前記光反射手段は、前記押釦部の光透過域全体にわたって光を散乱させた態様で反射する光散乱反射面を備えたことを特徴とする。
【００１０】
また、本発明の請求項３に係る押釦装置は、上記請求項２において、前記光散乱反射面は、前記発光素子からの光が通過するための通過孔を中心にして放射状に拡がる態様の溝部が形成してなることを特徴とする。
【００１１】
また、本発明の請求項４に係る押釦装置は、上記請求項２において、前記光散乱反射面は、前記発光素子からの光が通過するための通過孔を中心にして放射状に拡がる態様の長尺状の凸部が形成してなることを特徴とする。
【００１２】
また、本発明の請求項５に係る押釦装置は、上記請求項３または上記請求項４において、前記光反射手段は、前記通過孔を通過した光を、前記光散乱反射面に向けて発散させた態様で射出する導光部材を備えたことを特徴とする。
【００１３】
また、本発明の請求項６に係る押釦装置は、上記請求項２〜５のいずれか一つにおいて、前記光散乱反射面は、光反射率の高い高反射率部材をコーティングして形成したものであることを特徴とする。
【００１４】
また、本発明の請求項７に係る押釦装置は、上記請求項６において、前記光散乱反射面は、アルミニウムを蒸着して形成したものであることを特徴とする。
【００１５】
また、本発明の請求項８に係る押釦装置は、上記請求項１〜７のいずれか一つにおいて、前記押釦部とは別個に所定の表示を行うための表示部を設けたことを特徴とする。
【発明の効果】
【００１６】
本発明の請求項１に記載の発明によれば、発光素子の光射出側に配設された光反射手段が、押釦部の光透過域全体にわたって該発光素子からの光を反射するので、押釦部の視認性を向上させることができるという効果を奏する。
【００１７】
本発明の請求項２に記載の発明によれば、光散乱反射面が押釦部の光透過域全体にわたって光を散乱させた態様で反射するので、押釦部の視認性をさらに向上させることができるという効果を奏する。
【００１８】
本発明の請求項３に記載の発明によれば、溝部が発光素子からの光が通過するための通過孔を中心にして放射状に拡がる態様で光散乱反射面に形成してあるので、光を乱反射させて放射状に散乱させた態様で反射することができ、押釦部の視認性の向上だけでなく、美観性にも優れたものになるという効果を奏する。
【００１９】
本発明の請求項４に記載の発明によれば、長尺状の凸部が発光素子からの光が透過するための通過孔を中心にして放射状に拡がる態様で光散乱反射面に形成してあるので、光を乱反射させて放射状に散乱させた態様で反射することができ、押釦部の視認性の向上だけでなく、美観性にも優れたものになるという効果を奏する。
【００２０】
本発明の請求項５に記載の発明によれば、導光部材が通過孔を通過した光を光散乱反射面に向けて発散させた態様で射出するので、発光素子からの光を積極的に光散乱反射面に導くことができ、これにより、光散乱反射面から反射する光の量も増大することになる結果、押釦部の視認性を向上させることができるという効果を奏する。
【００２１】
本発明の請求項６に記載の発明によれば、光散乱反射面に光反射率の高い高反射率部材をコーティングして形成してあるので、光の反射率を向上させることができる結果、押釦部の視認性の向上を図ることができるという効果を奏する。
【００２２】
本発明の請求項７に記載の発明によれば、光散乱反射面にアルミニウムを蒸着して形成してあるので、光の反射率を向上させることができる結果、押釦部の視認性の向上を図ることができるという効果を奏する。
【００２３】
本発明の請求項８に記載の発明によれば、押釦部と個別に所定の表示を行うための表示部を設けてあるので、押釦部のみによる視認性を向上させることができるという効果を奏する。
【発明を実施するための最良の形態】
【００２４】
以下に添付図面を参照して、本発明に係る押釦装置の好適な実施の形態について詳細に説明する。尚、以下においては、本発明に係る押釦装置は、自動販売機に適用されるものとして説明する。
【００２５】
＜実施の形態１＞
図１は、本発明の実施の形態１に係る押釦装置が適用された自動販売機を示した正面図である。この図１において、自動販売機１は、本体キャビネット２を備えている。本体キャビネット２は、前面が開口した直方状の断熱筐体として形成されたものである。図には明示していないが、本体キャビネット２の内部には、断熱性の仕切板により仕切られた複数の商品収容庫が左右に並設してある。これら商品収容庫は、缶入り飲料やペットボトル入り飲料等の商品を所望の温度に維持した状態で収容するためのものである。各商品収容庫には、商品を収納するための商品収納ラックが配設してある一方、その下方部に、当該商品収容庫の内部雰囲気を冷却もしくは加熱して商品収納ラックに収納してある商品を冷蔵もしくは温蔵状態に保存する冷却／加熱ユニットが設けてある。
【００２６】
上記自動販売機１には、本体キャビネット２の一側縁部に扉体が設けてある。扉体は、本体キャビネット２の前面開口を開閉するためのもので、内扉（図示せず）および外扉３を備えて構成してある。内扉は、本体キャビネット２に設けた商品収容庫の前面を覆うに充分な大きさを有したものである。
【００２７】
外扉３は、本体キャビネット２の前面開口を覆うに充分な大きさを有したものである。この外扉３の上部域には、前面が透明板４で覆われたディスプレイ室５が設けてある。また、ディスプレイ室５の内側となる部位には、ディスプレイ台６が取り付けてある。ディスプレイ台６は、商品収容庫内に収容した商品に対応した商品見本７を左右に一列に複数（本実施の形態では１２個）並べて載置してある。ディスプレイ台６には、庫内に収納した商品の収納状態（冷却または加温）を表示してある。ディスプレイ台６の表示は、外扉３を本体キャビネット２に対して閉成した際に、自動販売機１の前面から商品見本７とともに透明板４を介して透視できる。尚、図１に示したように、本実施の形態でのディスプレイ台６は、上下方向に複数段（３段）有している。その他外扉３の前面には、硬貨投入口８、紙幣投入口９、釣銭返却口１０、金銭返却レバー１１、表示部１２および商品取出口１３等の周知のものが設けてある。図１に示したように、ディスプレイ室５を覆う透明板４には、各ディスプレイ台６の前方となる位置に押釦装置２０が設けてある。
【００２８】
図２および図３は、それぞれ図１に示した自動販売機に適用された押釦装置、すなわち本発明の実施の形態１に係る押釦装置を示したものであり、図２は分解斜視図であり、図３は平面断面図である。これら図２および図３において、本発明の実施の形態１に係る押釦装置２０は、ケーシングを構成するベース２１とカバー２２とを備えている。
【００２９】
ベース２１は、押釦装置２０の後方側ケーシングを構成するものである。ベース２１は、矩形状の板状体であり、その前面に収納凹部２１１を設けてある。また、ベース２１は、その外周に沿って無端状の溝状部２１２を設けてある。このベース２１は、後面側がネジ等の締結部材（図示せず）で締結して外扉３の所定部位に固定されるものである。
【００３０】
カバー２２は、押釦装置２０の前方側ケーシングを構成するものである。カバー２２は、前方に向けて円弧状に膨出して形成した前板部２２１と、左右の側板部２２２とを有してベース２１との間に収納空間Ｓを形成している。この収納空間Ｓには、基板２３、リフレクタ２４、パッキン２５、フィルム２６および押釦部２７が収納してある。また、カバー２２には、前板部２２１に押釦孔２２３が形成してある。このカバー２２は、ベース２１に溶着等で固定されて、上述したようにベース２１とともにケーシングを構成している。
【００３１】
基板２３は、ベース２１の収納凹部２１１に嵌合する矩形状の板状体である。基板２３の前面には、スイッチ部２３１と、第１発光素子２３２と、第２発光素子２３３と、集積回路２３４とが実装してある。スイッチ部２３１は、作動時に操作感を生じるタクトスイッチで構成してある。このスイッチ部２３１は、１つの押釦部２７に対応して２つ設けてある。
【００３２】
第１発光素子２３２は、該押釦装置２０の光源を成しており、例えば、色の異なる２つのチップ型発光ダイオード（ＬＥＤ；light-emitting  diode）等で構成してある。本実施の形態では、上下方向に並設した青色および橙色の２色の発光ダイオードを有している。
【００３３】
第２発光素子２３３は、例えば、色の異なる２つのチップ型発光ダイオード等で構成してある。本実施の形態では、上下方向に並設した赤色および橙色の２色の発光ダイオードを有している。
【００３４】
集積回路２３４は、スイッチ部２３１、第１発光素子２３２および第２発光素子２３３のそれぞれと接続してあるとともに、自動販売機１のメインコントローラ（図示せず）と接続してある。集積回路２３４は、メインコントローラからの指令に基づいて第１発光素子２３２および第２発光素子２３３の各発光ダイオードを発光させる一方、スイッチ部２３１の入力信号をメインコントローラに送出するものである。
【００３５】
リフレクタ２４は、楕円形状を有しており、第１発光素子２３２および第２発光素子２３３の光射出側（前方側）に配設してある。このリフレクタ２４は、第１反射部（光反射手段）２４１と第２反射部２４２とを有している。
【００３６】
第１反射部２４１は、前方に開口する凹状の形態をなしている。この第１反射部２４１は、第１発光素子２３２の２個の発光ダイオードからの射出光を反射するものであり、第１発光素子２３２からの射出光を通過させる通過孔２４１ａを中央に有し、該通過孔２４１ａから前方に向かって楕円形状に漸次拡がる光散乱反射面２４１ｂを有している。光散乱反射面２４１ｂは、後述する押釦部２７のレンズ部２７１ａと略同じ大きさを有している。この光散乱反射面２４１ｂには、一例として、図４に示したように通過孔２４１ａを中心にして放射状に拡がる態様の複数の溝部２４１ｃが形成してある。また、光散乱反射面２４１ｂには、高反射率部材であるアルミニウムが蒸着して形成してある。
【００３７】
上記第１反射部２４１には、通過孔２４１ａの前方側に円柱状の導光部材２４３が設けてある。導光部材２４３は、光透過材から形成したものであり、端部を前後方向に平行となる態様で配置してある。導光部材２４３の前端部分には、第１発光素子２３２側（後方側）に頂部を向けて配設した円錐体形状の第１光発散部２４３ａが設けてある。導光部材２４３の後端部分には、第１発光素子２３２側（後方側）に凹曲形状の第２光発散部２４３ｂが設けてある。
【００３８】
第２反射部２４２は、前方に開口する凹状の形態をなしており、第１反射部２４１の側方に設けてある。第２反射部２４２は、第２発光素子２３３の各発光ダイオードからの射出光を反射するためのものであり、各発光ダイオードに対応して１つずつ、すなわち２個設けてある。これら第２反射部２４２は、それぞれ第２発光素子２３３の発光ダイオードからの射出光を通過させる通過孔２４２ａを中央に有し、該通過孔２４２ａから前方に向かって矩形状に漸次拡がる光反射面２４２ｂを有している。
【００３９】
パッキン２５は、例えばシリコーンゴム等の弾性部材からなり、矩形状に形成してある。パッキン２５の外周には、ベース２１の溝状部２１２に挿入し得る無端状の挿入部２５１が設けてある。パッキン２５の前面には、上記リフレクタ２４を嵌挿する楕円形状の収納部２５２が突設してあるとともに、該収納部２５２の周囲に、可撓性および弾性を有する作動部２５３が設けてある。パッキン２５の後面には、基板２３の各スイッチ部２３１に対峙する位置に操作突起２５４が設けてある。このパッキン２５は、上記カバー２２をベース２１に密着して固定した場合に、挿入部２５１が溝状部２１２に圧入されることによって基板２３およびリフレクタ２４をベース２１との間で水密にして収納するものである。
【００４０】
フィルム２６は、光透過材からなる板状体であり、パッキン２５の収納部２５２の前面を覆う態様で楕円形状をなしている。このフィルム２６は、図５に示したように、リフレクタ２４の第２反射部２４２の前方側に臨む部位２６ａに、光透過性を高くした抜き文字が施してある。この文字は、一方（上方側）の第２反射部２４２に対応する「売切」と、他方（下方側）の第２反射部２４２に対応する「準備中」である。
【００４１】
押釦部２７は、光透過材からなり、図６にも示したように、操作部２７１と鍔部２７２とを備えて構成してある。操作部２７１は、楕円形状を有しており、前方に突出する態様で配設してある。この操作部２７１は、フィルム２６やパッキン２５の収納部２５２を嵌挿するとともに、カバー２２の押釦孔２２３を貫通して前板部２２１の前方に表出してある。また、操作部２７１は、上記リフレクタ２４の第１反射部２４１に対峙する部位に楕円形状のレンズ部２７１ａが形成してある。より詳細に説明すると、中心部分が第１発光素子２３２に対応する態様でレンズ部２７１ａが形成してある。このレンズ部２７１ａは、第１発光素子２３２からの光を透過させる光透過域になり、その大きさは、上述したようにリフレクタ２４の光散乱反射面２４１ｂと略同じである。
【００４２】
鍔部２７２は、操作部２７１の外周部分に設けてあり、押釦部２７が押釦孔２２３から抜ける事態を防ぐ役割を果たすものである。この鍔部２７２の後方側は、パッキン２５の操作突起２５４を介して基板２３の各スイッチ部２３１に対峙する。この押釦部２７は、パッキン２５の作動部２５３の撓みおよび弾性によって、前方から押圧された場合に後方に向かって押動操作可能に設けてある。
【００４３】
上記押釦部２７は、図１に示したように、ディスプレイ台６に載置した各商品見本７に対応してそれぞれ設けてある。本実施の形態では、左右の列において押釦部２７を６個並設したユニットを形成してあり、当該ユニットを２個連結して左右列の商品見本７にそれぞれ押釦部２７を対応して配置してある。尚、押釦装置２０は、押釦部２７を６個並設したユニットを形成するだけに限らず、例えば押釦部２７を４個並設したユニットを形成しても良い。
【００４４】
次に、上記構成を有する押釦装置２０の作用を自動販売機１の販売動作を含めて説明する。自動販売機１は、硬貨投入口８から硬貨が投入されたときにその正偽を判定し、正硬貨であった場合にさらに投入金額の認識を行う。また、自動販売機１は、紙幣投入口９から紙幣が投入されたときにその正偽を判定し、正紙幣であった場合にさらに投入金額の認識を行う。硬貨あるいは紙幣の金額は表示部１２によって表示する。
【００４５】
押釦装置２０は、機内に投入された金銭の額が商品販売に必要となる金額である場合、つまり投入された金銭の額が予め決められた閾値を超えた場合に、押釦部２７の押動操作を有効化させる。すなわち、商品販売が可能である商品の商品見本７に対応する押釦部２７について該押釦部２７が対峙しているスイッチ部２３１からの入力を有効化させる。同時に、押釦装置２０は、商品販売が可能である商品の商品見本７に対応する押釦部２７について該押釦部２７に対応する第１発光素子２３２を発光させる。この際、第１発光素子２３２では、例えば押釦部２７に該当する商品が冷却収納状態である場合には青色の発光ダイオードを発光させる一方、押釦部２７に該当する商品が加温収納状態である場合には橙色の発光ダイオードを発光させる。
【００４６】
第１発光素子２３２の発光ダイオードで発光した光は、直進性を有し、リフレクタ２４の第１反射部２４１に至る。第１反射部２４１に入射した光は、通過孔２４１ａを通過した後、導光部材２４３の第２光発散部２４３ｂによって発散しながら該導光部材２４３の内部を通過し、第１光発散部２４３ａによってさらに発散して、該第１反射部２４１の光散乱反射面２４１ｂに至る。そして、光散乱反射面２４１ｂに至った光は、前方に向けて反射することになる。より詳細に説明すると、光散乱反射面２４１ｂは、押釦部２７のレンズ部２７１ａと略同じ大きさを有するものであるから、該レンズ部２７１ａ全体にわたって光を反射することになる。また、光散乱反射面２４１ｂに形成された複数の溝部２４１ｃの作用により、反射した光は乱反射して散乱することになる。特に、複数の溝部２４１ｃは、通過孔２４１ａを中心にして放射状に拡がる態様で形成してあるので、光が放射状に散乱した態様で反射することになる。そして、光散乱反射面２４１ｂから散乱しながら反射した光は、パッキン２５およびフィルタ２６を透過して押釦部２７のレンズ部２７１ａの全体に至る結果、該押釦部２７が前方に向かって明示されることになる。
【００４７】
このようにリフレクタ２４からの散乱した反射光で明示された押釦部２７が前方から押圧されて押動操作することにより、スイッチ部２３１が作動して入力信号をメインコントローラに送出する。そして、自動販売機１では、かかる入力信号により押動操作した押釦部２７に対応する商品見本７の商品を商品取出口１３に搬出して払い出すことになる。同時に、押釦装置２０では、スイッチ部２３１の入力信号によって第１発光素子２３２の発光ダイオードの発光を停止する。
【００４８】
ところで、自動販売機１において収納した商品の在庫が無くなった場合には、押釦装置２０は、在庫が無くなった商品の商品見本７に対応する押釦部２７について該押釦部２７に対応する第２発光素子２３３を発光させる。より詳細には、第２発光素子２３３では、例えば赤色の発光ダイオードを発光させる。これにより、図７に示したように、フィルム２６に施された「売切」の文字が押釦部２７に赤色で明示されることになる。
【００４９】
一方、自動販売機１において在庫の無くなった商品を補充した場合には、押釦装置２０は、補充した商品の商品見本７に対応する押釦部２７について該押釦部２７に対応する第２発光素子２３３を発光させる。より詳細には、第２発光素子２３３では、例えば橙色の発光ダイオードを発光させる。これにより、図８に示したように、フィルム２６に施された「準備中」の文字が押釦部２７に橙色で明示されることになる。尚、「準備中」とは、自動販売機１に収納した商品が冷却もしくは加温している最中のことをいう。
【００５０】
また、「売切」または「準備中」の文字を明示しているとき、押釦装置２０は、自動販売機１において投入された金銭の額が商品販売に必要となる金額であっても、文字を明示している押釦部２７の押動操作を無効化させる。すなわち、商品販売が不可能な商品の商品見本７に対応する押釦部２７であるため、当該押釦部２７が対峙しているスイッチ部２３１からの信号を無効化させる。同時に、押釦装置２０は、商品販売が可能でない商品の商品見本７に対応する押釦部２７について該押釦部２７の第１発光素子２３２の発光を停止する。
【００５１】
以上のような押釦装置２０によれば、リフレクタ２４の第１反射部２４１が、押釦部２７のレンズ部２７１ａ全体にわたって第１発光素子２３２の発光ダイオードで発光した光を反射するので、押釦部２７をレンズ部２７１ａ全体から光が射出した状態で前方に明示することができ、これにより、押釦部２７の視認性を向上させることができる。
【００５２】
また、上記押釦装置２０によれば、光散乱反射面２４１ｂに複数の溝部２４１ｃが形成してあることにより、光を散乱させた態様で反射することができ、押釦部２７の視認性をさらに向上させることができる。特に、一例として挙げたように、溝部２４１ｃを通過孔２４１ａを中心にして放射状に拡がる態様で形成すれば、光を放射状に散乱した態様で反射することができ、押釦部２７の視認性の向上だけでなく、美観性にも優れたものになる。
【００５３】
更に、上記押釦装置２０によれば、第１反射部２４１の光散乱反射面２４１ｂは、高反射率材であるアルミニウムが蒸着してあるので、光の反射率を向上させることができる結果、押釦部２７の視認性の向上をさらに図ることができる。
【００５４】
以上、本発明の実施の形態１に係る押釦装置について説明したが、本発明はこれに限定されず、種々の変更を行うことができる。例えば、図９に示したように、押釦部２７は、レンズ部２７１ａの入射面（後面）に、中心部分から放射状に拡がる態様の溝部２７３が形成してあっても良い。このような構成によれば、リフレクタ２４からの光が、パッキン２５を介してレンズ部２７１ａの入射面に至ると、該入射面に形成された溝部２７３により乱反射して散乱し、これが拡散して射出することになる。従って、押釦部２７の視認性をさらに向上させることができる。また、レンズ部２７１ａの入射面における溝部２７３を放射状に拡がる態様に形成したことにより、光が放射状に散乱して拡散し、美観性にも優れたものになる。
【００５５】
＜実施の形態２＞
図１０は、本発明の実施の形態２に係る押釦装置を示した平面断面図である。尚、上述の実施の形態１に係る押釦装置２０と同一の構成を有するものには、同一の符号を付してその説明を省略する。この図１０において、本発明の実施の形態２に係る押釦装置３０は、ケーシングを構成するベース２１とカバー２２との間における収納空間（図示せず）に、基板２３、リフレクタ３４、パッキン３５、反射部材３６、押釦部３７および内カバー３８が収納してある。
【００５６】
リフレクタ３４は、楕円形状を有しており、第１発光素子２３２の光射出側（前方側）に配設してある。このリフレクタ３４は、反射部（光反射手段）３４１を有している。
【００５７】
反射部３４１は、前方に開口する凹状の形態をなしている。この反射部３４１は、第１発光素子２３２の２個の発光ダイオードからの射出光を反射するものであり、第１発光素子２３２からの射出光を通過させる通過孔３４１ａを中央に有し、該通過孔３４１ａから前方に向かって楕円形状に漸次拡がる光散乱反射面３４１ｂを有している。光散乱反射面３４１ｂは、後述する押釦部３７のレンズ部３７１ａと略同じ大きさを有している。この光散乱反射面３４１ｂには、図には明示しないが、一例として通過孔３４１ａを中心にして放射状に拡がる態様の複数の溝部が形成してある（図４参照）。また、光散乱反射面３４１ｂには、高反射率部材であるアルミニウムが蒸着して形成してある。
【００５８】
上記反射部３４１には、通過孔３４１ａの前方側に円柱状の導光部材３４３が設けてある。導光部材３４３は、光透過材から形成したものであり、端部を前後方向に平行となる態様で配置してある。導光部材３４３の前端部分には、第１発光素子２３２側（後方側）に頂部を向けて配設した円錐体形状の第１光発散部３４３ａが設けてある。導光部材３４３の後端部分には、第１発光素子２３２側（後方側）に凹曲形状の第２光発散部３４３ｂが設けてある。
【００５９】
パッキン３５は、例えばシリコーンゴム等の弾性部材からなり、矩形状に形成してある。パッキン３５の外周には、ベース２１の溝状部２１２に挿入し得る無端状の挿入部３５１が設けてある。パッキン３５の前面には、上記リフレクタ３４を嵌挿する楕円形状の収納部３５２が突設してあるとともに、該収納部３５２の周囲には、可撓性および弾性を有する作動部３５３が設けてある。パッキン３５の後面には、基板２３の各スイッチ部２３１に対峙する位置に操作突起３５４が設けてある。このパッキン３５は、上記カバー２２をベース２１に密着して固定した場合に、挿入部３５１が溝状部２１２に圧入されることによって基板２３およびリフレクタ３４をベース２１との間で水密にして収納するものである。
【００６０】
反射部材３６は、前方に開口する凹状の形態の反射窓部３６１を有しており、該反射窓部３６１が第２発光素子２３３からの光の通過域に位置する態様でパッキン３５の前面側に設けてある。反射窓部３６１は、第２発光素子２３３の各発光ダイオードからの射出光を反射するためのものであり、各発光ダイオードに対応して１つずつ、すなわち２個設けてある。これら反射窓部３６１は、それぞれ第２発光素子２３３の発光ダイオードからの射出光を通過させる通過孔３６１ａを中央に有し、該通過孔３６１ａから前方に向かって矩形状に漸次拡がる光反射面３６１ｂを有している。
【００６１】
押釦部３７は、光透過材からなり、操作部３７１と鍔部３７２とを備えて構成してある。操作部３７１は、楕円形状を有しており、前方に突出する態様で配設してある。この操作部３７１は、パッキン３５の収納部３５２を嵌挿するとともに、内カバー３８の貫通孔３８２およびカバー２２の押釦孔２２３を貫通して前板部２２１の前方に表出してある。また、操作部３７１は、上記リフレクタ３４に対峙する部位に楕円形状のレンズ部３７１ａが形成してある。より詳細に説明すると、中心部分が第１発光素子２３２に対応する態様でレンズ部３７１ａが形成してある。このレンズ部３７１ａは、第１発光素子２３２からの光を透過させる光透過域になり、その大きさは、上述したようにリフレクタ３４の光散乱反射面３４１ｂと略同じである。
【００６２】
鍔部３７２は、操作部３７１の外周部分に設けてあり、押釦部３７が押釦孔２２３から抜ける事態を防ぐ役割を果たすものである。この鍔部３７２の後方側は、パッキン３５の操作突起３５４を介して基板２３の各スイッチ部２３１に対峙する。この押釦部３７は、パッキン３５の作動部３５３の撓みおよび弾性によって、前方から押圧された場合に後方に向かって押動操作可能に設けてある。
【００６３】
内カバー３８は、光透過材からなる板状体であり、楕円形状の表出部３８１を備えている。表出部３８１は、カバー２２の押釦孔２２３から表出する部分であり、貫通孔３８２と表示部３８３とを有している。貫通孔３８２は、上記押釦部３７における操作部３７１が貫通することができる大きさであり、該操作部３７１より僅かに大きい楕円形状を有している。表示部３８３は、反射部材３６の反射窓部３６１の前方側に臨む部位に、光透過性を高くした抜き文字が施してある。この文字は、一方（上方側）の反射窓部３６１に対応する「売切」と、他方（下方側）の反射窓部３６１に対応する「準備中」である。
【００６４】
つまり、本発明の実施の形態２に係る押釦装置３０は、上記実施の形態１に係る押釦装置２０の押釦部２７が第２発光素子２３３からの光も透過する構成、より具体的には「売切」もしくは「準備中」の文字も表示するのに対し、図１１に示したように、押釦部３７は第１発光素子２３２からの光のみを透過する構成、より具体的には、「売切」もしくは「準備中」の表示を別個にしたものである。
【００６５】
上記構成を有する本発明の実施の形態２に係る押釦装置３０においては、第１発光素子２３２の発光ダイオードで発光した光は、直進性を有し、リフレクタ３４の反射部３４１に至る。反射部３４１に入射した光は、通過孔３４１ａを通過した後、導光部材３４３の第２光発散部３４３ｂによって発散しながら該導光部材３４３の内部を通過し、第１光発散部３４３ａによってさらに発散して、該反射部３４１の光散乱反射面３４１ｂに至る。そして、光散乱反射面３４１ｂに至った光は、前方に向けて反射することになる。より詳細に説明すると、光散乱反射面３４１ｂは、押釦部３７のレンズ部３７１ａと略同じ大きさを有するものであるから、該レンズ部３７１ａ全体にわたって光を反射することになる。また、光散乱反射面３４１ｂに形成された複数の溝部の作用により、反射した光は乱反射して散乱することになる。特に、複数の溝部は、通過孔３４１ａを中心にして放射状に拡がる態様で形成してあるので、光が放射状に散乱した態様で反射することになる。そして、光散乱反射面３４１ｂから散乱しながら反射した光は、パッキン３５を透過して押釦部３７のレンズ部３７１ａの全体に至る結果、該押釦部３７が前方に向かって明示されることになる。
【００６６】
以上のような押釦装置３０によれば、リフレクタ３４の反射部３４１が、押釦部３７のレンズ部３７１ａ全体にわたって第１発光素子２３２の発光ダイオードで発光した光を反射するので、押釦部３７をレンズ部３７１ａ全体から光が射出した状態で前方に明示することができ、これにより、押釦部３７の視認性を向上させることができる。
【００６７】
また、上記押釦装置３０によれば、光散乱反射面３４１ｂに複数の溝部が形成してあることにより、光を散乱させた態様で反射することができ、押釦部３７の視認性をさらに向上させることができる。特に、一例として挙げたように、溝部を通過孔３４１ａを中心にして放射状に拡がる態様で形成すれば、光を放射状に散乱した態様で反射することができ、押釦部３７の視認性の向上だけでなく、美観性にも優れたものになる。
【００６８】
更に、上記押釦装置３０によれば、反射部３４１の光散乱反射面３４１ｂは、高反射率材であるアルミニウムが蒸着してあるので、光の反射率を向上させることができる結果、押釦部３７の視認性の向上をさらに図ることができる。
【００６９】
以上、本発明の好適な実施の形態について説明したが、本発明はこれらに限定されず、種々の変更を行うことができる。例えば、上記実施の形態１および実施の形態２においては、リフレクタ２４，３４の光散乱反射面２４１ｂ，３４１ｂには、それぞれ溝部が形成していたが、本発明では、長尺状の凸部が複数形成してあっても良い。このような構成によっても、光が長尺状の凸部の作用により乱反射して散乱する結果、光を散乱させた態様で反射することができる。
【００７０】
また、上記実施の形態１および実施の形態２においては、放射状に拡がる態様で溝部を形成していたが、本発明はこれに限定されず、光を散乱させた態様で反射させることができれば、どのような形状であっても良い。
【図面の簡単な説明】
【００７１】
【図１】本発明の実施の形態１に係る押釦装置が適用された自動販売機を示した正面図である。
【図２】図１に示した自動販売機に適用された押釦装置の分解斜視図である。
【図３】図１に示した自動販売機に適用された押釦装置の平面断面図である。
【図４】図２に示した押釦装置を構成するリフレクタを拡大して示した斜視図である。
【図５】図２に示した押釦装置を構成するフィルムの正面図である。
【図６】図２に示した押釦装置を構成する押釦部の正面図である。
【図７】図２に示した押釦装置を構成する第２発光素子を発光させた場合を示した正面図である。
【図８】図２に示した押釦装置を構成する第２発光素子を発光させた場合を示した正面図である。
【図９】本発明の実施の形態１に係る押釦装置を構成する押釦部の変形例を示した正面図である。
【図１０】本発明の実施の形態２に係る押釦装置の平面断面図である。
【図１１】図１０に示した押釦装置を構成するレンズ部の正面図である。
【符号の説明】
【００７２】
２０，３０    押釦装置
２１    ベース
２１１    収納凹部
２１２    溝状部
２２    カバー
２２１    前板部
２２２    側板部
２２３    押釦孔
２３    基板
２３１    スイッチ部
２３２    第１発光素子
２３３    第２発光素子
２３４    集積回路
２４，３４    リフレクタ
２４１    第１反射部
２４１ａ，３４１ａ    通過孔
２４１ｂ，３４１ｂ    光散乱反射面
２４１ｃ    溝部
２４２    第２反射部
２５，３５    パッキン
２５１    挿入部
２５２    収納部
２５３    作動部
２５４    操作突起
２６    フィルム
２７，３７    押釦部
２７１，３７１    操作部
２７２，３７２    鍔部
２７１ａ，３７１ａ    レンズ部
３６    反射部材
３８    内カバー
Ｓ    収納空間
【図１】
2006012489.tif 000003
【図２】
2006012489.tif 000004
【図３】
2006012489.tif 000005
【図４】
2006012489.tif 000006
【図５】
2006012489.tif 000007
【図６】
2006012489.tif 000008
【図７】
2006012489.tif 000009
【図８】
2006012489.tif 000010
【図９】
2006012489.tif 000011
【図１０】
2006012489.tif 000012
【図１１】
2006012489.tif 000013